(57)【要約】【課題】透明氷を作る自動製氷装置に関し、透明度を保ちつつ製氷時間の短縮を図る。【解決手段】給水した水を凍結させる製氷部１５と、製氷部１５で製氷した氷を砕く砕氷部材２９と、砕氷部材２９を駆動させる砕氷用駆動部１８と、製氷部１５を揺動させる揺動用駆動部２８を備えた自動製氷装置であり、製氷部１５を揺動用駆動部２８で揺動させることにより、製氷部１５の水を全体に移動させて水中に含まれる気体成分を十分に脱気をして、透明度の高い氷をつくりやすくする。【選択図】図１
2005164142.tif 000002
【特許請求の範囲】
【請求項１】
給水した水を凍結させる製氷部と、前記製氷部で製氷した氷を砕く砕氷部材と、前記砕氷部材を駆動させる砕氷用駆動部と、前記製氷部を揺動させる揺動用駆動部とを備えたことを特徴とする自動製氷装置。
【請求項２】
製氷部の下方から上方に向かって砕氷部材を配置し、前記砕氷部材は前記製氷部と別部材であり、砕氷用駆動部に固定したことを特徴とする請求項１に記載の自動製氷装置。
【請求項３】
製氷部の下部に砕氷用駆動部を配置したことを特徴とする請求項２に記載の自動製氷装置。
【請求項４】
製氷部の下面と砕氷部材の間には、水漏れ防止材を配設したことを特徴とする請求項２または請求項３に記載の自動製氷装置。
【請求項５】
製氷部の外周には断熱材が配置されていることを特徴とする請求項１に記載の自動製氷装置。
【請求項６】
製氷部の下面が冷却板で構成されていることを特徴とする請求項１に記載の自動製氷装置。
【請求項７】
冷却板に温度検知手段を設けたことを特徴とする請求項６に記載の自動製氷装置。
【請求項８】
製氷皿は下面に開口部を有する製氷部と、前記開口部を覆う冷却板とから構成され、前記開口部の外周に前記製氷部に給水された水の水漏れ防止部材を配設して前記冷却板と水密状に取り付けてなることを特徴とする請求項１から５のいずれか一項に記載の自動製氷装置。
【請求項９】
製氷部の開口部近傍に外周方向に延伸し、一体に成形されたフランジを備え、前記断熱材を保持する保持部材で、前記冷却板方向に前記製氷皿下面を押し付けることを特徴とする請求項８に記載の自動製氷装置。
【請求項１０】
給水した水を凍結させる製氷部と、前記製氷部で製氷した氷を砕く砕氷部材を駆動させる砕氷用駆動部と、前記製氷部を揺動させる揺動用駆動部とを１つのユニットとして形成したことを特徴とする自動製氷装置。
【請求項１１】
製氷部に給水して製氷した後、前記製氷部を上下反転させて離氷動作させる反転駆動手段は揺動用駆動部で行うことを特徴とする請求項１に記載の自動製氷装置。
【請求項１２】
製氷部は１つのブロックで形成されていることを特徴とする請求項１から１１のいずれか一項に記載の自動製氷装置。
【発明の詳細な説明】
【技術分野】
【０００１】
本発明は不定形な氷を製氷する自動製氷装置に関するものである。
【背景技術】
【０００２】
近年、清潔指向の高まりにより、冷蔵庫に対してより清潔感を求める傾向が消費者の間で高まっている。冷蔵庫で作る氷に対しても、従来の不純物を含んだ氷よりもより透明度が高く、不純物の少ない氷が求められている。
【０００３】
従来の透明製氷を作ることのできる自動製氷装置としては、製氷皿を所定の振動数、振幅にて軸周りに揺動させながら製氷するものがある。（例えば、特許文献１参照）
以下、図面を参照しながら上記従来の自動製氷装置を説明する。
【０００４】
図８は従来の自動製氷装置の平面図である。図８に示すように、従来の自動製氷装置は、矩形箱状の機体１から図中左方に向けて突出するＬ字状の支持部材２を備え、前記支持部材２と前記機体１間に合成樹脂製で小氷塊を生成する多数の凹部を備えた製氷皿３を軸支して取り付け、製氷皿３の上面を蓋４で覆っている。
【０００５】
また、前記機体１内に収納されたパルスモータ５の出力軸６と製氷皿３の軸とを連結している。前記パルスモータ５は、ギヤ列等からなる駆動装置７として形成されている。
【０００６】
さらに、前記機体１の側面に検氷レバー８を備えるとともに、前記製氷皿３に給水する給水パイプ１０の導水部１１が前記製氷皿３の端部に水を導入するべく製氷皿３の回動範囲をはずれて設けている。
【０００７】
前記製氷皿３の端部に設けられた支軸１２は支持部材１３に回動自在に取り付けられている。また、前記製氷皿３の下部に製氷完了を検知する温度センサ１４が設けられている。
【０００８】
以上のように構成された自動製氷装置について、以下その動作を説明する。
【０００９】
従来の自動製氷装置は、冷蔵庫の製氷室内に配置され、その周囲温度は冷凍域に保たれるとともに製氷皿３の底面に冷気を当てている。そして、給水手段により給水された水は給水パイプ１０及び導水部１１を介して製氷皿３の各凹部に均一に満たされる。この時、製氷皿３の上面は上蓋４で覆われているおり、かつ、上蓋４内には電気ヒータ（図示せず）が備えられているため、製氷皿３に給水された水は下面から徐々に凍結し、上面が最後に凍る。
【００１０】
この為、水中に含まれる気泡は下面から徐々に上面へと移動していき、結果、気泡のない氷が生成される。
【００１１】
また、製氷中には、駆動装置７内にあるパルスモータ５は、ある一定の振動数、振幅にて出力軸６を揺動させる。このことにより、支軸１２により支持部材１３に保持されている製氷皿３は支軸１２周りに正転、逆転を繰り返す。これにより、製氷皿３内の水は振動が加えられ攪拌されるので、より脱気効果が期待される。
【特許文献１】特開平６−３３１２４４号公報
【発明の開示】
【発明が解決しようとする課題】
【００１２】
しかしながら、上記従来の構成は、製氷皿３が矩形の氷を作成する為、複数の区画に分割されており、揺動させた時の水の移動距離に制限があるという欠点があった。この水の移動距離が少ないと十分に脱気（空気の気泡を逃がすこと）ができず、その結果製氷時間が延びてしまうという問題がある。
【００１３】
本発明は従来の課題を解決するもので、短時間で透明氷ができる自動製氷装置を提供することを目的とする。また砕氷することで視覚的にも優れた不定形氷を提供することを目的とする。
【課題を解決するための手段】
【００１４】
上記課題を解決するため、本発明の自動製氷装置は、給水した水を凍結させる製氷部と、前記製氷部で製氷した氷を砕く砕氷部材と、前記砕氷部材を駆動させる砕氷用駆動部と、前記製氷部を揺動させる揺動用駆動部とを備えたものであり、製氷部の揺動により、製氷部の水を製氷部全体に移動させて十分な脱気をし、かつ砕氷によって不定形な透明氷が作りやすくなる。
【発明の効果】
【００１５】
本発明の自動製氷装置によれば、給水した水を凍結させる製氷部と、前記製氷部で製氷した氷を砕く砕氷部材と、前記砕氷部材を駆動させる砕氷用駆動部と、前記製氷部を揺動させる揺動用駆動部とを備えたものであり、脱気による水に含まれる空気が排気されるので、短時間で不定形の透明氷を作ることができる。
【発明を実施するための最良の形態】
【００１６】
請求項１に記載の発明は、給水した水を凍結させる製氷部と、前記製氷部で製氷した氷を砕く砕氷部材と、前記砕氷部材を駆動させる砕氷用駆動部と、前記製氷部を揺動させる揺動用駆動部とを備えたものであり、製氷部の揺動により、製氷部の水を製氷部全体に移動させて十分な脱気をし、かつ砕氷によって不定形な透明氷が作りやすくなるものである。
【００１７】
また、請求項２に記載の発明は、請求項１に記載の発明において、製氷部の下方から上方に向かって砕氷部材を配置し、前記砕氷部材は前記製氷部と別部材で砕氷用駆動部に固定したものであり、砕氷時、製氷部に過大な応力がかかることがなく製氷部の破損を低減することができ、また製氷した氷を砕氷部材で適切な大きさに砕くことができる。
【００１８】
また、請求項３に記載の発明は、請求項２の発明にさらに、製氷部の下部に砕氷用駆動部を配置したものであり、製氷された氷内を貫通する砕氷部材を下部の砕氷用駆動部によって回転動作させることができ砕氷用駆動部の動力を効率良く砕氷部材に伝達させることができる。
【００１９】
また、請求項４に記載の発明は、請求項２または請求項３の発明にさらに、製氷部の下面と砕氷部材の間には、水漏れ防止材を配設したものであり、砕氷部材からの水漏れを防止することができる。
【００２０】
また、請求項５に記載の発明は、請求項１記載の発明にさらに、製氷部の外周が断熱材で覆われているものであり、製氷部周辺の温度を一定に保つことができる。
【００２１】
また、請求項６に記載の発明は、請求項１記載の発明にさらに、製氷部の下面が冷却板で構成されているものであり、製氷部で製氷する氷を下面から徐々に凍結させることができる。
【００２２】
また、請求項７に記載の発明は、冷却板に温度検知手段を設けたものであり、冷却板の温度を検知することにより、給水検知、製氷完了検知、凍結速度の制御を行うことができる。
【００２３】
また、請求項８に記載の発明は、請求項１から５のいずれか一項に記載の発明にさらに、製氷皿は下面に開口部を有する製氷部と、前記開口部を覆う冷却板とから構成され、前記開口部の外周に前記製氷部に給水された水の水漏れ防止部材を配設して前記冷却板と水密状に取り付けてなるものであり、製氷皿からの水漏れを防止することができる。
【００２４】
また、請求項９に記載の発明は、請求項８の発明にさらに、製氷部の開口部近傍に外周方向に延伸し、一体に成形されたフランジを備え、前記断熱材を保持する保持部材で、前記冷却板方向に前記製氷皿下面を押し付けるものであり、前記製氷皿からの水漏れを防止することができる。
【００２５】
また、請求項１０に記載の発明は、給水した水を凍結させる製氷部と、前記製氷部で製氷した氷を砕く砕氷部材を駆動させる砕氷用駆動部と、前記製氷部を揺動させる揺動用駆動部とを１つのユニットとして形成したものであり、部品数を低減しコンパクトにすることができる。
【００２６】
また、請求項１１に記載の発明は、請求項１の発明にさらに、製氷部に給水して製氷した後、前記製氷部を上下反転させて離氷動作させる反転駆動手段は揺動用駆動部で行うものであり、離氷時の駆動動作を兼用でき、不定形状の透明氷を作るのに、２つの駆動部で実現することができる。
【００２７】
また、請求項１２に記載の発明は、請求項１から１１のいずれかの発明にさらに、製氷部は１つのブロックで形成されているものであり、製氷部に過大な応力をかけることなく、１枚氷を砕氷部材の駆動によって複数の不定形な氷に分割することができる。
【００２８】
以下、本発明の実施の形態について、図面を参照しながら説明する。なお、従来と同一構成については、同一符号を付して詳細な説明を省略する。また、この実施の形態によってこの発明が限定されるものではない。
【００２９】
（実施の形態１）
図１は、本発明の実施の形態１による自動製氷装置の斜視図である。図２は、同実施の形態の自動製氷装置の分解状態を示す斜視図である。図３及、図４、図５は、同実施の形態の自動製氷装置の要部断面図である。
【００３０】
図１から図５において、製氷部１５は製氷皿３と、冷却板１６と、製氷皿３の外周フランジと冷却板１６の間に配置される矩形状のゴム製の水漏れ防止材１７から構成され、さらに冷却板１６の下方に砕氷用駆動部１８が配置される。
【００３１】
前記砕氷用駆動部１８の下方には放熱板１９が配置されており、冷却板１６と放熱板１９の間には冷却手段、例えば複数個のペルチェ素子２０が配置される。このペルチェ素子２０の外周には固定部材２１が配設され、ペルチェ素子２０の位置を固定する役割を果たす。
【００３２】
前記冷却板１６と固定部材２１の間、放熱板１９と固定部材２１の間には、各々矩形状のゴム製の水浸入防止材２２が水密となるように設けられ、外部からペルチェ素子２０近傍に水分が侵入することを防いでいる。また、冷却板１６と、放熱板１９は、各々アルミ等の熱伝導性の良い材料で成形されている。
【００３３】
保持部材２３及び、保持部材２４は、それぞれ一方が開口された略箱形状の保持部２５、保持部２６が一体に形成されており、この保持部２５、保持部２６により、製氷皿３と、冷却板１６と、水漏れ防止材１７と、砕氷用駆動部１８と、放熱板１９と、ペルチェ素子２０と、固定部材２１と、水浸入防止材２２を上下に挟持するよう構成されている。
【００３４】
この時に、製氷皿３は保持部材２３及び、保持部材２４によって冷却板１６方向に押さえ付けられ、同時に、水漏れ防止材１７は適度に圧縮されている。
【００３５】
また、保持部材２４の一方には、挿入口２７が一体に形成されており、揺動用駆動部２８の出力軸が挿入される構成となっている。
【００３６】
また、複数個の砕氷部材２９は砕氷用駆動部１８に対して垂直方向に連結されており、冷却板１６を貫通して製氷部１５方向へ延伸されている。この時、冷却板１６の貫通穴１６ａには、砕氷部材２９の周囲をシールする、水漏れ防止材３０が設けられており、固定板３１にて冷却板１６に固定されている。
【００３７】
また、冷却板１６には温度検知手段、例えば温度センサ３２が設けられ、保持部材２３に取り付けられている。
【００３８】
また、保持部材２３、及び保持部材２４内には、断熱材３３が設けられている。
【００３９】
製氷皿３と、冷却板１６と、水漏れ防止材１７と、砕氷用駆動部１８と、放熱板１９と、ペルチェ素子２０と、固定部材２１と、水浸入防止材２２と、保持部材２３と、保持部材２４と、砕氷部材２９と、水漏れ防止材３０と、固定板３１と、温度センサ３２と、断熱材３３は、各々相互に固定され、全体として製氷ユニット３４を構成している。
【００４０】
また、製氷ユニット３４は、製氷室天面３５に設けられた略半円形状の凹部内に、その上部が収納される。保持部材２３と、製氷室天面３５の凹部は、製氷ユニット３４の回転に支障の無い程度に近接しており、製氷部１５と製氷室の空気の循環は最小限に抑えられている。さらに、図示はしていないが、製氷室天面３５の凹部には加熱手段が設けられている。
【００４１】
以上のように構成された自動製氷装置ついて、以下その動作を説明する。
【００４２】
給水手段により給水された水は、製氷皿３と冷却板１６に区画された製氷部１５に貯えられる。製氷皿３は下方が開放され、冷却板１６が露出している状態である。
【００４３】
この時、製氷皿３と冷却板１６の間には、水漏れ防止材１７が配置されているため、製氷部１５に貯えられた水は下方に漏れ出ることが無い。また、砕氷部材２９の周囲には、水漏れ防止材３０が設けられており、同じく製氷部１５の水の漏出を防いでいる。水漏れ防止材３０はゴム状の弾力性のある材料を用いており、形状としてはリング状を成している。
【００４４】
この水漏れ防止材３０の内周には、単段、あるいは複数段のヒレ形状が設けられており、その内径は、砕氷部材２９の外形よりも小さくなっている。さらに、水漏れ防止材３０の内周にはグリスが塗布され、より防水性を高めた構造をとっている。
【００４５】
製氷室天面３５の凹部は加熱手段により温められ、かつ、断熱材３３により製氷室内雰囲気との断熱を行うため、製氷部１５近傍の雰囲気温度は０℃よりも高く保たれる。ペルチェ素子２０は、冷却板１６の下方に突出した凸部と接触しており、冷却板１６を冷却していく。冷凍温度になった冷却板１６により、給水された水は下部から徐々に凍結していき、水中の気体成分を上方に逃がしていくが、製氷部１５近傍の雰囲気温度は０℃よりも高く保たれるため、給水された水の上面は凍結することが無い。この時、温度センサ３２は冷却板１６の温度を検知しており、ペルチェ素子２０の電圧を適度に変化させることにより、凍結速度の最適な制御を行う。
【００４６】
例えば、脱気速度よりも凍結速度が速すぎる場合には、ペルチェ素子２０の電圧を低下させる制御を行う。
【００４７】
温度センサ２０が冷却板１６の温度上昇を検知し、給水が完了したと判断すると、揺動用駆動部２８が、ある一定の振動数、振幅で、正逆転を繰り返し、製氷ユニット３４を揺動させることにより、製氷部１５内に給水された水を適度に攪拌する。
【００４８】
この動作により、水中の気体成分を逃がす効果、すなわち脱気効果がさらに高まることになる。
【００４９】
この時、製氷部１５内には揺動方向に略垂直な壁は無く、給水された水は製氷皿３のほぼ全幅にわたって移動することが可能である。従来の製氷皿は複数の区画に分割されており、給水された水の移動量は、従来の製氷皿に比べて大幅に多くなっている。これにより脱気効果が大になり、製氷部１５には透明度の高い氷が作られる。もしくは、透明度を従来の自動製氷装置でできる氷と同程度にすると、製氷時間を短縮することができる。
【００５０】
温度センサ３２が、冷却板１６の温度低下を検知して、製氷完了の判断を行うわけであるが、このようにして作られた透明氷は略板状になっている。この時、透明氷内には砕氷部材２９が内在しており、砕氷用駆動部１８により砕氷部材２９はある一定の方向に回転駆動する。砕氷部材２９には略放射状の複数のリブ、もしくは爪が設けられており、このリブが回転することにより、リブの周囲の氷に亀裂を生じさせ、略板状の透明氷を複数に砕氷する。この砕氷された氷は、家庭での実用に供することのできる適切な大きさに設定されることが好ましい。
【００５１】
さらに、透明氷の砕氷後、揺動用駆動部２８が製氷ユニット３４を反転させ、製氷部１５内の透明氷を下方に落下、離氷させる。その後揺動用駆動部２８は反対方向に回転し、製氷ユニット３４を正位置に復帰させ、次回の給水を待つ。
【００５２】
この時、仮に、砕氷部材２９及び砕氷用駆動部１８を一体に構成しなかった場合には、製氷後、砕氷部材２９及び砕氷用駆動部１８を製氷部１５の上方から氷に向けて移動させる必要が出てくる。この場合、砕氷部材２９を氷の中に侵入させるため、何らかの加熱手段を設ける必要が出てくると共に、砕氷部材２９及び砕氷用駆動部１８を上下に移動させる移動手段が別途必要になる。さらに、加熱手段をもって氷の中に砕氷部材２９を侵入させたとしても、砕氷するために再度凍結させる必要があり、製氷時間の増大を招くことになる。
【００５３】
以上のように本実施の形態の自動製氷装置は、製氷部１５と、砕氷部材２９と、砕氷用駆動部１８を製氷ユニット３４の一部として構成することにより、部品点数の増加と機構の複雑化を防ぎつつ、短時間で適切な大きさの透明氷を作ることができる。
【００５４】
また、製氷部１５の下面から砕氷部材２９を突出させているため、製氷完了後直ぐに略板状の透明氷を砕氷することができる。
【００５５】
また、製氷部１５の下部に砕氷用駆動部１８を配置したため、製氷部１５下部への砕氷部材２９の配設が可能になった。
【００５６】
また、砕氷部材２９の周囲に水漏れ防止材３０を設けたため、冷却板１６と、砕氷部材２９との隙き間からの水漏れを防止し、同じく製氷部１５下部への砕氷部材２９の配設を可能としている。
【００５７】
また、製氷部１５の外周を断熱材３３で覆ったため、製氷部１５の近傍を０℃より高い、凍結しない一定の温度域に保つことができる。
【００５８】
また、製氷部１５の下面を冷却板１６で構成したため、下面からの氷結が可能になり、水中の気体成分を上方へ脱気させることができる。
【００５９】
また、冷却板１６に温度検知手段として、温度センサ３２を設けたため、冷却板１６の温度を検知することができ、給水検知、製氷完了検知が可能となり、さらに、凍結速度を制御することができる。
【００６０】
また、冷却板１６の冷却手段としてペルチェ素子を用いることにより、同じく凍結速度を最適に制御することができる。
【００６１】
また、製氷皿３と、冷却板１６の間に水漏れ防止材を設けたため、製氷皿３からの漏水を防ぐことができる。
【００６２】
また、保持部材２３、保持部材２４で製氷皿３の外周フランジを冷却板１６方向へ押さえ付け、水漏れ防止材１７を適度に圧縮することができる。
【００６３】
なお、本実施の形態において、砕氷部材２９は複数個としたが、１個であっても砕氷の効果には変わりは無く、適当な個数にすることにより、提供する氷の大きさ、個数を変えることができる。
【００６４】
さらに、本実施の形態においては、ペルチェ素子２０を複数個用いた構成になっているが、ペルチェ素子２０自体に十分な冷却性能があり、かつ、冷却板１６の厚さを適切に厚くすることにより冷却面の均温化が図れる場合には、必ずしも複数個用いることは必要では無く、１個でも良い。
【００６５】
またさらに、本実施の形態において、冷却板１６は、下方に凸部を持ち、ペルチェ素子２０と接触しているが、この冷却板１６の凸部は同等の材質の別部品にて構成しても良い。この場合には、冷却板１６の形状が簡素化され、コストダウンを図ることができる。
【００６６】
（実施の形態２）
図６は、本発明の実施の形態２による自動製氷装置の斜視図である。
【００６７】
本実施の形態は、実施の形態１による砕氷用駆動部１８と、揺動用駆動部２８を一体化したものである。
【００６８】
図６において、揺動砕氷用駆動部３６の手前部分には、揺動用出力軸３７が設けられている。さらに、揺動砕氷用駆動部３６の上面には、砕氷部材２９と連結する出力軸が設けられており、製氷ユニット３８の一部として構成されている。
【００６９】
さらに、製氷ユニット３８は、揺動用出力軸３７を介して冷蔵庫本体に担時されている。
【００７０】
以上のように構成された自動製氷装置ついて、以下その動作を説明する。
【００７１】
実施の形態１と同様に、温度センサ２０が冷却板１６の温度上昇を検知し、給水が完了したと判断すると、揺動砕氷用駆動部３６の揺動用出力軸３７が、ある一定の振動数、振幅で、正逆転を繰り返そうとする。この時、揺動用出力軸３７は、冷蔵庫本体に固定されているため、揺動砕氷用駆動部３６自身も含めて、製氷ユニット３８が揺動する。このことにより、製氷部１５内に給水された水が適度に攪拌される。
【００７２】
以上のように本実施の形態の自動製氷装置は、砕氷用駆動部と揺動用駆動部を一体化した揺動砕氷用駆動部３６を備えるため、実施の形態１と同様な透明氷を作りつつ、部品点数の削減ができ、製氷ユニット３８のコンパクト化が実現できる。
【００７３】
（実施の形態３）
図７は本発明の実施の形態３による冷蔵庫の断面図である。
【００７４】
図７において、冷蔵庫本体３９は、製氷室４０、冷凍室４１を備えており、自動製氷装置は製氷室４０内に設置される。
【００７５】
このことにより、冷蔵庫で連続的に透明氷を作り、保存することが可能になる。
【００７６】
なお、冷蔵庫本体３９内の製氷室４０は無い場合もあり、その時は、自動製氷装置は、冷凍室４１内に設置される。
【産業上の利用可能性】
【００７７】
以上のように、本発明にかかる自動製氷装置は、脱気により水に含まれる空気が排気されるので、短時間で不定形の透明氷を作ることができ、家庭用、業務用を問わず製氷装置及び製氷装置を備えた適用製品に有用である。
【図面の簡単な説明】
【００７８】
【図１】本発明による自動製氷装置の実施の形態１の斜視図
【図２】本発明による自動製氷装置の実施の形態１の分解状態を示す斜視図
【図３】本発明による自動製氷装置の実施の形態１の要部断面図
【図４】本発明による自動製氷装置の実施の形態１の要部断面図
【図５】本発明による自動製氷装置の実施の形態１の要部断面図
【図６】本発明による自動製氷装置の実施の形態２の斜視図
【図７】本発明による自動製氷装置の実施の形態３の断面図
【図８】従来の自動製氷装置の平面図
【符号の説明】
【００７９】
１    機体
２    支持部材
３    製氷皿
４    上蓋
５    パルスモータ
６    出力軸
７    駆動装置
８    検氷レバー
９    案内板
１０    給水パイプ
１１    導水部
１２    支軸
１３    支持部材
１４    温度センサ
１５    製氷部
１６    冷却板
１７    水漏れ防止材
１８    砕氷用駆動部
１９    放熱板
２０    ペルチェ素子
２１    固定部材
２２    水浸入防止材
２３、２４    保持部材
２５、２６    保持部
２７    挿入口
２８    揺動用駆動部
２９    砕氷部材
３０    水漏れ防止材
３１    固定板
３２    温度センサ
３３    断熱材
３４    製氷ユニット
３５    製氷室天面
３６    揺動砕氷用駆動部
３７    揺動用出力軸
３８    製氷ユニット
３９    冷蔵庫本体
４０    製氷室
４１    冷凍室
【図１】
2005164142.tif 000003
【図２】
2005164142.tif 000004
【図３】
2005164142.tif 000005
【図４】
2005164142.tif 000006
【図５】
2005164142.tif 000007
【図６】
2005164142.tif 000008
【図７】
2005164142.tif 000009
【図８】
2005164142.tif 000010